(57)【要約】【課題】用途に応じてデザインの変更を可能にすること。【解決手段】透明リライトシート３の周縁３辺に無色透明の接着剤７を塗布し、これを基材シート２に貼り合わせることによって、残る１辺を差込口５として開口させたポケット状の収納部６を設け、この収納部６にリライトシート４を出し入れ自在に収納するようにした。【選択図】図１
2009126009.tif 000002
【特許請求の範囲】
【請求項１】
基材シートの表面に透明リライトシートの縁部を接着することにより差込口を有する収納部が設けられていることを特徴とするリライト帳票。
【請求項２】
基材シートの表面に透明リライトシートの縁部を接着することにより差込口を有する収納部が設けられ、この収納部に出し入れ自在に収納されるリライトシートを備えたことを特徴とするリライト帳票。
【請求項３】
基材シートの裏面に粘着層が設けられていることを特徴とする請求項１又は請求項２に記載のリライト帳票。
【請求項４】
収納部は透明リライトシートの両側縁部を基材シートに接着してなることを特徴とする請求項１から請求項３のいずれか１項に記載のリライト帳票。
【請求項５】
差込口の縁部に切り欠き部が設けられていることを特徴とする請求項１から請求項４のいずれか１項に記載のリライト帳票。
【発明の詳細な説明】
【技術分野】
【０００１】
本発明は、文字や図形等の情報を書き換えることができるリライト帳票に関する。
【背景技術】
【０００２】
従来、情報を書き換え可能なリライト帳票は周知であり、例えば会員カードやポイントカード等のリライトカードとして使用されている。この種のリライトカードは、カード基材の表面に背景層を印刷し、背景層の上に空気層を介して可逆性の感熱記録層を設けた構成になっている。背景層には店舗名や連絡先、絵柄などが予め印刷によって表示され、感熱記録層には会員番号やポイント数などの情報が書き換え可能に印字されている。
【０００３】
ところが、従来のリライトカードによると、ポイント数などの情報は書き換え可能な可変情報であるのに対し、背景層の絵柄などはプリンタによって予め印刷される固定情報であるため、カードのデザインを途中で変更することができないという問題があった。
【０００４】
なお、下記の特許文献１には、透明性を有するカード基材を使用した透明リライトカードが開示されている。この透明リライトカードはカード使用者に対して従来にない変わった印象を与えることができるものの、カード使用者が任意にカードのデザインを変更することは不可能である。
【０００５】
【特許文献１】特開２００２−５９６５３号公報
【発明の開示】
【発明が解決しようとする課題】
【０００６】
本発明は、このような問題を解決するためになされたものであり、その目的とするところは、文字や図形等の情報を書き換え可能なリライト帳票において、用途に応じてデザインを変更することができるデザイン自由度の高いリライト帳票を提供することにある。
【課題を解決するための手段】
【０００７】
上記の目的を達成するため、本発明のリライト帳票は、基材シートの表面に透明リライトシートの縁部を接着することにより差込口を有する収納部が設けられていることを特徴とする。
【０００８】
また、本発明のリライト帳票は、基材シートの表面に透明リライトシートの縁部を接着することにより差込口を有する収納部が設けられ、この収納部に出し入れ自在に収納されるリライトシートを備えたことを特徴とする。
【０００９】
本発明のリライト帳票によれば、透明リライトシートに対して情報の書き換えができる上に、収納部に他のリライトシートや用紙などを収納すれば、情報を積層することが可能になる。
【００１０】
また、本発明のリライト帳票において、基材シートの裏面に粘着層が設けられていてもよい。このような構成によれば、リライト帳票をラベルとして対象物に貼り付けることが可能になり、リライト帳票をＩＣカードやＲＦＩＤタグ等の他の情報記録媒体に貼り付ければ複合媒体として利用することもできる。
【００１１】
また、本発明のリライト帳票において、透明リライトシートの両側縁部を基材シートに接着してなる構成を採用することができる。このような構成によると、収納部に収納されるシートの出し入れを作業方向の制約を受けずに行えるので、利便性が向上する。
【００１２】
さらに、差込口の縁部に切り欠き部が設けられていると、収納部に収納されたシートを取り出しやすくなる。
【発明の効果】
【００１３】
上記の構成から明らかなように、本発明のリライト帳票によれば、収納部に他のリライトシートや用紙などを収納することで情報を積層化して情報量を多くすることができるとともに、収納部に収納されたシート等を交換するだけの簡単な方法で自由にデザインを変更することができるという効果がある。
【発明を実施するための最良の形態】
【００１４】
以下、本発明の実施の形態について、図面を参照しながら説明する。
【００１５】
図１は本発明に係るリライト帳票の一構成例を示す全体図、図２は同リライト帳票の断面図、図３は同リライト帳票の使用方法を示す説明図である。
【００１６】
図１及び図２に示すように、本実施形態のリライト帳票１は主に、基材シート２と、透明リライトシート３と、リライトシート４を備えて構成されている。
【００１７】
基材シート２は、紙や合成樹脂等をシート状の台紙として使用したものである。基材シート２には文字や図形等の固定情報が予め印刷されていてもよい。また、基材シート２の表面は透明リライトシート３で覆われているが、本実施形態では、透明リライトシート３の周縁３辺に沿って無色透明の接着剤７を塗布し、これを基材シート２に貼り合わせてある。したがって、透明リライトシート３の上辺が差込口５として開口し、基材シート２と透明リライトシート３の間の空間にポケット状の収納部６が設けられている。この収納部６にはリライトシート４が出し入れ自在に収納される。
【００１８】
透明リライトシート３は、透明白濁タイプのリライトシートであり、収納部６の内部の状態を透かして見ることができる。透明リライトシート３は、樹脂バインダ中に有機低分子を粒子状に分散させ、透明フィルム上に塗布した可逆性の感熱記録層を設けてなる。この透明白濁タイプの感熱記録層を約１２０℃程度に加熱すると有機低分子が白濁し、常温まで冷却すると白濁状態が固定される。一方、この感熱記録層を約９５℃程度に加熱すると有機低分子が透明に戻り、常温まで冷却すると透明状態が固定される。この白濁状態と透明状態との可逆的変化を利用することにより、透明リライトシート３への書き込みと消去、つまり書き換えが可能になっている。
【００１９】
リライトシート４は、ロイコ染料タイプのリライトシートであり、白色ＰＥＴからなる基材の表面に無色のロイコ染料（例えばクリスタルバイオレットラクトン等）からなる発色剤とフェノール系化合物（例えばビスフェノールＡ等）からなる顕色剤を混合した可逆性の感熱記録層を設けてなる。このロイコ染料タイプの感熱記録層を約１７０℃以上に加熱すると発色剤と顕色剤が溶融して発色し、常温まで急激に冷却すると発色状態が固定される。一方、この感熱記録層を約１２０〜１４０℃程度に加熱して発色剤と顕色剤を溶融させ、常温まで徐々に冷却すると消色状態が固定される。この発色状態と消色状態との可逆的変化を利用することにより、リライトシート４への書き込みと消去、つまり書き換えが可能になっている。
【００２０】
ここで、透明リライトシート３やリライトシート４への情報の書き換えは、上記のサーマル方式に替えて、以下のような各種レーザー方式のリライトプリンタを用いて行うこともできる。
・ＣＯ２（炭酸ガス）レーザー：赤外線レーザーの一種で、その波長は１０．６μｍと長く、水分に反応して熱エネルギーに変換される。レーザー光は目に見えないので、ガイド光としてＨｅ−Ｎｅガスレーザーが一緒に内蔵されていることが多い。
・ルビーレーザー：ルビーを用い、可視光線の一部である波長６９４ｎｍのレーザー光を出力する。
・アレキサンドライトレーザー：アレキサンドライト（クリソベル）を用い、波長７５５ｎｍのレーザー光を出力する。
・Ｎｄ−ＹＡＧレーザー：ネオジウム・ヤグ（イットリウム、アルミニウム、ガーネットの３種からなる結晶ＹＡＧにＮｄ（ネオジウム）を混ぜたもの）を用い、波長１０６４ｎｍのレーザー光を出力する。波長を半分に変換するＫＴＰ結晶を組み込んで５３２ｎｍの波長を有するものが主流である。
・Ｅｒ−ＹＡＧレーザー：上記のＹＡＧにＥｒ（エルビウム）を混ぜたもので、波長２９３６ｎｍのレーザー光を出力する。上記の炭酸ガスレーザーと同様に水分に反応する。
・ダイ（色素）レーザー：アルコールに色素を溶かし込んだものを発振体とし、波長５８５ｎｍ付近のレーザー光を出力する。
・ダイオード（半導体）レーザー：半導体の性質を変えることにより様々な波長のレーザー光を出力することが可能である。
【００２１】
基材シート２の裏面には粘着剤を塗布した粘着層８が設けられており、使用時まで粘着面が剥離紙９で被覆保護されている。このため、剥離紙９を剥がせば、リライト帳票１をラベルとして対象物に貼り付けることができる。また、このリライト帳票１をＩＣカードやＲＦＩＤタグ等の他の情報記録媒体に貼り付けることにより、多機能を複合させた複合媒体として運用することも可能である。
【００２２】
次に、本実施形態のリライト帳票の使用方法について説明する。
【００２３】
図３はリライト帳票を使用して工程管理を行う例を示したものである。この例に示したリライト帳票１は、裏面の粘着層８によってコンテナ２０に貼付され、表面が「工程管理票」兼「作業指示書」として機能する。リライト帳票付きのコンテナ２０はベルトコンベア等によって製造工程の作業ポイントＰに搬送されるとともに、各作業ポイントＰ１，Ｐ２，Ｐ３，…にはそれぞれコードリーダ３０とリライトプリンタ４０が設置されている。
【００２４】
リライト帳票１の収納部６にはリライトシート４が差し込み収納されている。リライトシート４の表示面は複数の行列に区画され、各列が工程（工程１、２、３）を示し、各行がそれぞれの工程における作業内容（作業内容Ａ、Ｂ、Ｃ）を表わしている。リライトシート４に表示される作業内容は予めリライトプリンタ４０で印字したものであり、例えば部品の品番や型番、納品数、加工方法等の情報が２次元コードで表示され、透明リライトシート３を通して読み取り可能になっている。
【００２５】
リライト帳票付きのコンテナ２０が工程１の作業ポイントＰ１に搬送されてくると、コードリーダ３０によってリライトシート４に表示された２次元コードが読み取られ、その作業内容が画面に表示される。作業者は表示された作業内容を確認し、指示された作業内容に従って加工作業を行う。
【００２６】
次に、作業ポイントＰ１での加工作業が終了すると、リライトプリンタ４０によって透明リライトシート３に書き込みが行われる。すなわち、終了した作業内容に該当する部分のみをプリンタのサーマルヘッドで所定温度に加熱し、透明リライトシート３の当該部分を白濁させて塗り潰すようにする。このとき、サーマルヘッドのエネルギーを低い値に設定しておけば、透明リライトシート３のみに書き込みがなされる。つまり、収納部６に収納された内側のリライトシート４にはエネルギーが伝わらないため、２次元コードで表示された作業内容まで書き換えてしまうことはない。また、ロイコ染料タイプよりも透明白濁タイプの方が比較的低温でも発色しやすく反応性が高いので、透明リライトシート３のみに鮮明に書き込みを行える。
【００２７】
そして、作業ポイントＰ１での透明リライトシート３への書き込みが完了すると、コンテナ２０は後続の作業ポイントＰ２へと搬送される。後続の作業ポイントＰ２においてもリライトシート４に表示された２次元コードがコードリーダ３０で読み取られ、作業内容が画面に表示される。ここで、既に終了した作業ポイントＰ１での作業内容Ａの部分は透明リライトシート３に印字した白濁部３ａによって覆われているため、作業済みの２次元コードは読み取られず、その作業内容は表示されない。したがって、後続の作業ポイントＰ２に前工程の作業が終了したことを通知することができ、かつ後続の作業ポイントＰ２での作業内容Ｂを指示することができる。
【００２８】
このように、各作業ポイントＰ１，Ｐ２，Ｐ３，…では、作業開始時にコードリーダ３０で内側のリライトシート４の２次元コードを読み取って作業内容を指示し、作業終了時にリライトプリンタ４０で外側の透明リライトシート３に書き込んで作業終了を通知するようにした。これにより、各作業ポイントＰ１，Ｐ２，Ｐ３，…で作業の進捗状況を的確に把握でき、工程管理を効率よく実施することができる。
【００２９】
また、このリライト帳票１を利用すれば、作業終了時に透明リライトシート３の白濁部３ａを適宜選択して印字することにより、後続の作業ポイントＰに対して作業内容の指示を変更したり、異なる製造ラインに仕分け搬送したりすることも可能である。さらに、作業内容の異なる工程を管理する場合には、収納部６からリライトシート４を取り出し、リライトプリンタ４０で作業内容を書き換えたものに差し替えればよい。また、透明リライトシート３の表示を消去すれば、新たな工程管理においても同じリライト帳票１を再利用することができる。また、リライトプリンタ４０は、サーマル方式のリライトプリンタに替えて上述したようなレーザー方式のリライトプリンタを使用してもよい。
【００３０】
なお、上述した実施形態は本発明の一例を示したものであり、この他にも様々な構成や使用方法が考えられる。
【００３１】
例えば、図４は本発明に係るリライト帳票の他の構成例を示すもので、同図に示すリライト帳票１は、収納部６の形態を変形した点に特徴がある。すなわち、透明リライトシート３の左右両側縁部に沿って接着剤７を塗布し、これを基材シート２に貼り合わせることによって、上下の２箇所に差込口５，５を開口した収納部６が設けられている。このような構成によれば、使用時において、リライトシート４の差し込みや取り出しの作業が上下どちら側からでも可能になる。よって、作業方向の制約を受けないので、リライト帳票１の利便性が向上する。
【００３２】
また、図５は本発明に係るリライト帳票のさらに他の構成例を示すもので、同図に示すリライト帳票１は、差込口５の形態を変形したことが特徴である。すなわち、同図（ａ）の差込口５は透明リライトシート３の上端中央部を半円状に切り欠いた切り欠き部１０が設けられており、同図（ｂ）の差込口５は透明リライトシート３の上端部を斜めに切り欠いた切り欠き部１０が設けられている。このような構成によれば、収納部６に収納されたリライトシート４を取り出す時に切り欠き部１０の箇所でリライトシート４に指が触れるので、取り出し作業を簡単に行うことができ、リライト帳票１の利便性が向上する。
【００３３】
さらに、図６は本発明に係るリライト帳票の他の使用方法を示すもので、同図に示すリライト帳票１は、店舗で会員に発行するポイントカードとして適用したものである。この例では、基材シート２の表面に店舗名や連絡先等の固定情報Ｘが予め印刷されており、基材シート２に接着された外側の透明リライトシート３に会員番号、発行年月日、ポイント数等の可変情報Ｙが書き換え可能に印字されている。そして、このポイントカードの利用者は、家庭用のプリンタを使用して写真や絵柄などを印刷した用紙１１を収納部６に差し込み収納することが可能である。このように、内側に収納した写真や絵柄などが透明リライトシート３を通して見えるので、ポイントカードのデザインを好きなものに変更することができ、他人のポイントカードとはデザインの異なる個性的なポイントカードを所有することができる。
【００３４】
以上説明した実施形態では、外側の透明リライトシート３に透明・白濁タイプのリライトシートを使用し、内側のリライトシート４にロイコ染料タイプのリライトシートを使用したが、使用するシートのタイプはこれに限られない。例えば、外側の透明リライトシート３は透明なリライトシートであれば他の発色原理のものでもよく、外側の透明リライトシート３の発色原理と内側のリライトシート４の発色原理が同じものでもよい。また、収納部６に収納するシートは必ずしもリライトシートである必要はなく、ＲＦＩＤタグのような帳票や、通常の印刷用紙等を収納してもよい。さらに、リライト帳票１をカード形態で使用する場合には粘着層８と剥離紙９は必要でない。
【図面の簡単な説明】
【００３５】
【図１】本発明に係るリライト帳票の一構成例を示す全体図。
【図２】図１のリライト帳票のＡ−Ａ線断面図。
【図３】図１のリライト帳票の使用方法を示す説明図。
【図４】本発明に係るリライト帳票の他の構成例を示す全体図。
【図５】本発明に係るリライト帳票のさらに他の構成例を示す全体図。
【図６】本発明に係るリライト帳票の他の使用方法を示す説明図。
【符号の説明】
【００３６】
１…リライト帳票
２…基材シート
３…透明リライトシート
４…リライトシート
５…差込口
６…収納部
７…接着剤
８…粘着層
９…剥離紙
１０…切り欠き部
１１…用紙
２０…コンテナ
３０…コードリーダ
４０…リライトプリンタ
【図１】
2009126009.tif 000003
【図２】
2009126009.tif 000004
【図３】
2009126009.tif 000005
【図４】
2009126009.tif 000006
【図５】
2009126009.tif 000007
【図６】
2009126009.tif 000008